(57)【要約】【課題】リーダライタによって書き込まれた商品情報を顧客や店員などが把握できるように表示させること。【解決手段】アンテナ９が、リーダライタから値引き情報１１ｇと、値引き方法１１ｈとを書き込むための電波を受信し、受信した電波をもとに、値引き情報１１ｇと、値引き方法１１ｈとが商品データ記憶部１１に書き込まれる。そして、表示データ出力部１２ａは、書き込まれた値引き情報１１ｇと値引き方法１１ｇとを取得し、取得した値引き情報１１ｇと値引き方法１１ｇとをＬＣＤ１３に出力し、追加表示させる。【選択図】        図３
2005202722.tif 000002
【特許請求の範囲】
【請求項１】
商品に付され、制御機器からの無線による指示に応答して動作するＩＣタグであって、
前記商品に関する情報を格納する商品情報格納手段と、
前記商品に関する情報を変更する商品情報制御手段と、
前記商品に関する情報を表示する商品情報表示手段と、
を備え、
前記商品情報格納手段に格納された前記商品に関する情報は、前記制御機器からの指示に基づいて前記商品情報制御手段により変更され、当該変更された情報が前記商品情報表示手段によって表示されることを特徴とするＩＣタグ。
【請求項２】
商品に付され、制御機器からの無線による指示に応答して動作するＩＣタグであって、  前記制御機器から送信される前記商品の賞味期限を含んだ情報を格納する期限情報格納手段と、
タイマーを利用して前記賞味期限の経過を感知する期限感知手段と、
前記期限情報格納手段に格納された商品の情報を表示するとともに、前記期限感知手段が前記賞味期限の経過を感知した場合に、該賞味期限が経過した旨を表示する商品情報表示処理手段と、
を備えたことを特徴とするＩＣタグ。
【請求項３】
商品に付され、制御機器からの無線による指示に応答して動作するＩＣタグであって、
前記制御機器から送信される前記商品の賞味期限を含んだ情報を格納する期限情報格納手段と、
前記制御機器から定期的に現在時刻を取得するとともに、該現在時刻を基に前記賞味期限を経過したか否かを判断する期限判断手段と、
前記期限判断手段が、前記賞味期限を経過したと判断した場合に、該賞味期限が経過した旨を表示する経過情報表示手段と、
を備えたことを特徴とするＩＣタグ。
【請求項４】
前記商品情報格納手段により格納される情報は商品についての値引き情報を含み、前記商品情報表示手段は、商品についての値引き情報をさらに表示することを特徴とする請求項１に記載のＩＣタグ。
【請求項５】
前記賞味期限日を経過した場合に、前記商品情報表示処理手段が表示する商品の情報の表示色を変化させる表示色変化手段をさらに備えたことを特徴とする請求項２に記載のＩＣタグ。
【発明の詳細な説明】
【技術分野】
【０００１】
この発明は、商品に付され、制御機器からの無線による指示に応答して動作するＩＣタグに関し、特に格納した商品情報を表示可能なＩＣタグに関するものである。
【背景技術】
【０００２】
現在、スーパーマーケットやデパートなどで販売されている商品は、商品の価格を示す値札およびバーコードが添付されて販売コーナーに陳列されている。また、店員は、タイムサービスを行う場合のタイムサービス対象商品や、賞味期限日の近づいた商品に対して、商品が値引きされた旨を示す値下げ札をさらに添付させていた。
【０００３】
しかしながら、従来の値下げ札を商品に添付する作業には問題があった。具体的には、店員は、賞味期限日の迫った商品を探し出す際に大変な手間を必要とし、迅速に値下げ札を商品に添付することができず、場合によっては値下げ札を貼り忘れることがあった。
【０００４】
また、値下げ札の添付された商品を販売することは店員に対して負担を課していた。具体的には、店員が、ＰＯＳ（Point Of Sales）レジスターのスキャナーを利用してバーコードから商品情報を読み取った後、店員はさらに、値下げ札をもとに値下げ価格をＰＯＳレジスターに入力する必要があった。
【０００５】
この問題を解決するために、特許文献１に開示された値札は、微小電流を利用して読み込みおよび書き込み可能な商品データメモリを有し、店舗に設置したアンテナからの指示電流により、商品データメモリに価格データなどを書き込むことによって、商品の価格変更の手間をなくしていた。
【０００６】
【特許文献１】特開２００２−１３３５１９公報
【発明の開示】
【発明が解決しようとする課題】
【０００７】
しかしながら、従来の値札は、商品の価格が変更された場合に、顧客が商品価格を把握することができないという問題があった。従って、商品に添付された値札は、商品に係る情報が指示電流などによって書き換えられたならば、書き換えられた商品情報を表示することが必要となってくる。
【０００８】
また、商品データを記憶した値札は、商品データを第三者によって容易に読み取られてしまう危険性がある。従って、商品を購入した顧客のプライバシーを保護する必要があった。
【０００９】
この発明は、上述した従来技術による問題点を解消するためになされたものであり、値札が電子的に記憶している商品情報を顧客や店員などが把握でき、かつ商品を購入した顧客のプライバシーを保護することが可能なＩＣタグを提供することを目的とする。
【課題を解決するための手段】
【００１０】
上述した課題を解決し、目的を達成するため、本発明は、商品に付され、制御機器からの無線による指示に応答して動作するＩＣタグであって、前記商品に関する情報を格納する商品情報格納手段と、前記商品に関する情報を変更する商品情報制御手段と、前記商品に関する情報を表示する商品情報表示手段と、を備え、前記商品情報格納手段に格納された前記商品に関する情報は、前記制御機器からの指示に基づいて前記商品情報制御手段により変更され、当該変更された情報が前記商品情報表示手段によって表示されることを特徴とする。
【００１１】
また、本発明は、商品に付され、制御機器からの無線による指示に応答して動作するＩＣタグであって、前記制御機器から送信される前記商品の賞味期限を含んだ情報を格納する期限情報格納手段と、タイマーを利用して前記賞味期限の経過を感知する期限感知手段と、前記期限情報格納手段に格納された商品の情報を表示するとともに、前記期限感知手段が前記賞味期限の経過を感知した場合に、該賞味期限が経過した旨を表示する商品情報表示処理手段と、を備えたことを特徴とする。
【００１２】
また、本発明は、商品に付され、制御機器からの無線による指示に応答して動作するＩＣタグであって、前記制御機器から送信される前記商品の賞味期限を含んだ情報を格納する期限情報格納手段と、前記制御機器から定期的に現在時刻を取得するとともに、該現在時刻を基に前記賞味期限を経過したか否かを判断する期限判断手段と、前記期限判断手段が、前記賞味期限を経過したと判断した場合に、該賞味期限が経過した旨を表示する経過情報表示手段と、を備えたことを特徴とする。
【００１３】
また、本発明は、上記発明において、前記商品情報格納手段により格納される情報は商品についての値引き情報を含み、前記商品情報表示手段は、商品についての値引き情報をさらに表示することを特徴とする。
【００１４】
また、本発明は、上記発明において、前記賞味期限日を経過した場合に、前記商品情報表示処理手段が表示する商品の情報の表示色を変化させる表示色変化手段をさらに備えたことを特徴とする。
【発明の効果】
【００１５】
本発明によれば、商品に関する情報を格納し、格納された情報を、制御装置からの指示に基づいて、変更し、該変更した情報を表示するので、店員や顧客などは、ＩＣタグに記憶された商品に対する情報を把握することができる。
【００１６】
また、本発明によれば、商品の賞味期限を含んだ情報を格納し、タイマーなどを使用して、賞味期限の経過を感知した場合に、賞味期限が経過した旨を表示するので、店員や顧客は、賞味期限を経過した商品を容易に把握することができる。
【００１７】
また、本発明によれば、ＩＣタグに商品の値引き情報を記憶させ、かつ表示させるので、店員が値下げ札を値下げ対象商品に貼る手間を軽減させることができ、かつ値下げされた商品を販売する場合に、ＰＯＳレジスターに値下げ価格を入力する必要をなくすことができる。
【００１８】
また、本発明によれば、賞味期限日が経過した際に、表示している商品情報の表示色を変化させるので、顧客は賞味期限日の経過した商品を誤って購入することがなくなり、店員に対する賞味期限日の経過した商品の廃棄作業の負担を軽減させることができる。
【発明を実施するための最良の形態】
【００１９】
以下に添付図面を参照して、この発明に係るＩＣタグの好適な実施の形態を詳細に説明する。
【実施例１】
【００２０】
まず、本実施例１に係るＩＣ（Integrated Circuit）タグシステムのシステム構成について説明する。図１または図２は、本実施例１に係るＩＣタグシステムのシステム構成を説明するための説明図である。図１に示すＩＣタグシステムにおいて、アンテナ３は、リーダライタ２に接続され、リーダライタ２は、ホストコンピュータ１に接続されている。
【００２１】
ホストコンピュータ１は、リーダライタ２に商品７の情報を送信する。そして、リーダライタ２は、アンテナ３を利用して電波を送信し、商品７に取り付けられたＩＣタグ８に商品７の情報を書き込む。
【００２２】
そして、ＩＣタグ８は、リーダライタ２によって書き込まれた商品情報を図示しないＬＣＤ（Liquid Crystal Display）に表示させる。従って、店員などが、ホストコンピュータ１を利用して、商品７の値引き価格などをＩＣタグ８に書き込むと、ＩＣタグ８は、ＩＣタグ８に取り付けられたＬＣＤに値引き価格などを表示させるので、顧客は、常に商品７に対する最新の情報を得ることができる。また、店員は、直接商品に値引き札を貼る必要がなくなるため、店員の負担を軽減させることができる。
【００２３】
また、図２に示すＩＣタグシステムにおいて、アンテナ６は、リーダライタ５に接続され、リーダライタ５は、ＰＯＳレジスター４に接続されている。ＰＯＳレジスター４は、商品７に係る商品情報をＩＣタグ８から取得し、取得した商品情報をもとに商品７の商品価格を表示させる。また、ＰＯＳレジスター４は必要に応じてＩＣタグ８に暗号データを送信し、商品情報を暗号データに書き換える。
【００２４】
なお、ＰＯＳレジスター４がＩＣタグ８から商品７に係る商品情報を取得する場合や、暗号データをＩＣタグ８に書き込む場合には、リーダライタ５を利用する。ＩＣタグ８から商品情報を読み取る場合には、リーダライタ５は、アンテナ６を利用して電波をＩＣタグ８に送信し、ＩＣタグ８に書き込まれた商品情報を読み込み、読み込んだ商品情報をＰＯＳレジスター４に送信する。
【００２５】
一方、暗号データをＩＣタグ８に書き込む場合には、アンテナ６を利用して、ＰＯＳレジスター４から受信した暗号データを含んだ電波をＩＣタグ８に送信し、ＩＣタグ８に書き込まれた商品情報を暗号データに書き換える。
【００２６】
従って、従来のように商品に貼られた値引き札をもとに、ＰＯＳレジスター４に店員が値引き情報を入力する手間をなくすことができる。すなわち、値引き情報の入力を省く事が可能な事とＩＣタグが発するデータを複数同時に読み込む事が可能な為に、店員は売上商品の登録を一品一品行う必要がなくなる。
【００２７】
また、ＩＣタグ８に書き込まれた商品情報を必要に応じて暗号データに書き換えるので、商品を購入した顧客は、第三者による購入した商品情報の読み取りを防止することができる。
【００２８】
次に、図１および２に示したＩＣタグ８の構成について説明する。図３は、図１および２に示したＩＣタグ８の構成を示す機能ブロック図である。同図に示すように、ＩＣタグ８は、アンテナ９と、情報制御部１０と、商品データ記憶部１１と、表示データ処理部１２と、ＬＣＤ１３とを有する。
【００２９】
アンテナ９は、リーダライタ２または５から商品情報を書き込むまたは読み込むための電波を受信し、情報制御部１０に受信した電波を渡す。情報制御部１０は、アンテナ９から商品情報を書き込むための電波に基づいて、商品情報を商品データ記憶部１１に記憶させる。一方、情報制御部１０は、商品情報を読み込むための電波をアンテナ９から受け取った場合には、商品情報を商品データ記憶部１１から取得し、リーダライタ２または５に読み取られることとなる。
【００３０】
商品データ記憶部１１は、スキャンコード１１ａと、商品名１１ｂと、商品価格１１ｃと、製造時刻１１ｄと、賞味期限日１１ｅと、暗号化情報１１ｆと、値引き情報１１ｇと、値引き方法１１ｈとを有する。なお、これらの情報は、リータライタ２から送信される。
【００３１】
スキャンコード１１ａは、商品７を特定するコード番号であり、商品名１１ｂは、商品７の商品名であり、商品価格１１ｃは、商品７の商品価格であり、製造時刻１１ｄは、商品７の製造された時刻である。
【００３２】
また、賞味期限日１１ｅは、商品７の賞味期限日であり、暗号化情報１１ｆは、商品データ記憶部１１に含まれるデータを暗号化するか否かの情報であり、値引き情報１１ｇは、商品価格から値引きする数値であり、値引き方法１１ｈは、商品価格から値引きする方法を示す。
【００３３】
ここで、値引き情報１１ｇと、値引き方法１１ｈについて具体的に説明する。例えば、値引き情報１１ｇが「３００」で値引き方法１１ｈが「円」で、商品価格１１ｃが「１０００円」の場合には、現在の商品価格は、「７００円」となる。つまり、商品価格１１ｃに対して「３００円引き」であることを示す。
【００３４】
一方、値引き情報１１ｇが「２０」で、値引き方法１１ｈが「パーセント」で、商品価格１１ｃが「１０００円」の場合には、現在の商品価格は「８００円」となる。つまり、商品価格１１ｃに対して「２０パーセント引き」であることを示す。
【００３５】
表示データ処理部１２は、商品データ記憶部１１に記録されたデータをＬＣＤ１３に出力する。表示データ処理部１２は、表示データ出力部１２ａと、表示変更処理部１２ｂと、タイマー１２ｃとを有する。
【００３６】
表示データ出力部１２ａは、商品データ記憶部１１から商品価格１１ｃと、製造時刻１１ｄと、賞味期限日１１ｅと、値引き情報１１ｇと、値引き方法１１ｂとを取得し、ＬＣＤ１３に出力する。
【００３７】
表示変更処理部１２ｂは、タイマー１２ｃを利用して、賞味期限日１１ｅが経過したと判断した場合に、ＬＣＤ１３が現在表示している商品情報の表示色を変更するように指示する。例えば、賞味期限日１１ｅを経過したならばＬＣＤ１３に表示させる商品情報の表示色を黒色から赤色に変化させる。
【００３８】
従って、顧客は、賞味期限日の経過した商品をひと目で把握することができるため、賞味期限切れの商品を購入することがすくなくなる。また、売り場の店員は、表示色の違いで賞味期限の経過した商品を容易に把握でき、商品の廃棄に対する負担が軽減する。
【００３９】
ＬＣＤ１３は、表示データ出力部１２ａから入力された商品価格１１ｃと、製造時刻１１ｄと、賞味期限日１１ｅと、値引き情報１１ｇと、値引き方法１１ｂとを表示する。また、ＬＣＤ１３は、表示変更処理部１２ｂの指示により、表示している商品情報の色を変化させる。
【００４０】
なお、本実施例１では、スキャンコード１１ａ、商品名１１ｂ、商品価格１１ｃ、製造時刻１１ｄ、賞味期限日１１ｅ、および暗号化情報１１ｆは、予め商品データ記憶部１１に、書き込まれていることとする。
【００４１】
そして、リーダライタ２によって、値引き情報１１ｇと、値引き方法１１ｈとが、商品データ記憶部１１に書き込まれた場合に、書き込まれた値引き情報１１ｇと、値引き方法１１ｈとを表示データ出力部１２ａが取得する。そして、表示データ出力部１２ａは、取得した値引き情報１１ｇと、値引き方法１１ｈとをＬＣＤ１３に表示させる。
【００４２】
従って、ＬＣＤ１３は、予め商品名１１ｂと、商品価格１１ｃと、製造時刻１１ｄと、賞味期限日１１ｅとを表示している。そして、リーダライタ２によって値引き情報１１ｇと、値引き方法１１ｈとが書き込まれたならば、書き込まれた値引き情報１１ｇと、値引き情報１１ｈとを追加表示する。
【００４３】
次に、ＩＣタグ８が、リーダライタ２によって、値引き情報１１ｇと、値引き方法１１ｈとを書き込まれ、書き込まれた値引き情報１１ｇと、値引き方法１１ｈとをＬＣＤ１３に表示する処理手順について説明する。図４は、ＩＣタグが、リーダライタによって、値引き情報と、値引き方法とを書き込まれ、書き込まれた値引き情報と、値引き方法とをＬＣＤに表示する処理手順を説明するフローチャートである。
【００４４】
同図に示すように、アンテナ９が、値引き情報１１ｇと、値引き方法１１ｈとを書き込むための電波をリーダライタ２から受信し(ステップＳ１０１)、受信した電波をもとに、商品データ記憶部１１に値引き情報１１ｇと、値引き方法１１ｈとが書き込まれる(ステップＳ１０２)。
【００４５】
そして、表示データ出力部１２ａは、書き込まれた値引き情報１１ｇと、値引き方法１１ｈとを取得し(ステップＳ１０３)、取得した値引き情報１１ｇと、値引き方法１１ｈとをＬＣＤ１３に出力し(ステップＳ１０４)、ＬＣＤ１３は入力された値引き情報１１ｇと、値引き方法１１ｈとを追加表示する(ステップＳ１０５)。
【００４６】
次に、ＰＯＳレジスター４が、ＩＣタグ８から商品情報を取得し、商品の価格を表示する処理手順について説明する。図５は、ＰＯＳレジスターが、ＩＣタグから商品情報を取得し、商品の価格を表示する処理手順を説明するフローチャートである。
【００４７】
同図に示すように、ＰＯＳレジスター４は、リーダライタ５を利用して、商品７にかかる商品情報を読み取るための電波をＩＣタグ８に送信する(ステップＳ２０１)。ＩＣタグ８は、リーダライタ５から電波を受信し(ステップＳ２０３)、商品データ記憶部１１に書き込まれたスキャンコード１１ａ、商品名１１ｂ、商品価格１１ｃ、製造時刻１１ｄ、賞味期限日１１ｅ、暗号化情報１１ｆ、値引き情報１１ｇおよび値引き方法１１ｈを商品情報として、リーダライタ５に読み取られる(ステップＳ２０３)。
【００４８】
そして、ＰＯＳレジスター４は、リーダライタ５を介して商品情報を受信し(ステップＳ２０４)、受信した商品情報に含まれる暗号化情報１１ｆをもとにして、暗号化を行うか否かを判定する(ステップＳ２０５)。
【００４９】
暗号化情報１１ｆが、暗号化を行わない旨の情報を含んでいる場合には(ステップＳ２０５，Ｎｏ)、商品情報をもとに商品価格を表示する(ステップＳ２０９)。一方、暗号化情報１１ｆが、暗号化を行う旨の情報を含んでいる場合には(ステップＳ２０６，Ｙｅｓ)、暗号化データをリーダライタ５を介してＩＣタグ８に送信し(ステップＳ２０６)、ステップＳ２０９に移行する。
【００５０】
ＩＣタグ８は、商品情報を暗号データに書き換えるための電波を受信し(ステップＳ２０７)、商品データ記憶部１１に記憶された商品情報が、受信した暗号データに書き換えられる(ステップＳ２０８)。
【００５１】
上述してきたように、本実施例１に係るＩＣタグ８は、リーダライタ２によって書き込まれた値引き情報１１ｇと、値引き方法１１ｈとを表示データ出力部１２ａが取得し、取得した情報をＬＣＤ１３に追加表示するので、店員は、商品に値下げ価格を示す値札を貼る負担をなくすことができる。
【００５２】
また、ＰＯＳレジスター４は、リーダライタ５を利用し、ＩＣタグ８から値下げ情報１１ｇおよび値下げ方法１１ｈとを含んだ商品情報を取得して、商品価格を表示させるので、店員は、値下げ価格を新たにＰＯＳレジスター４に入力する必要をなくすことができる。
【００５３】
また、表示変更処理部１２ｂは、賞味期限日１１ｅを経過した際に、ＬＣＤ１３が表示する商品情報の色を変化させるので、顧客や店員は、容易に賞味期限日の経過した商品を把握することができる。
【００５４】
さらに、ＩＣタグ８に含まれる商品情報を必要に応じて暗号データに書き換えるので、顧客のプライバシーを保護可能であり、かつ商品情報の改竄を防止することができる。
【００５５】
ところで、本実施例１では、商品データ記憶部１１に、スキャンコード１１ａと、商品名１１ｂと、商品価格１１ｃと、製造時刻１１ｄと、賞味期限日１１ｅと、暗号化情報１１ｆとが予め書き込まれており、後に、リーダライタ２によって値引き情報１１ｇと、値引き方法１１ｆとが書き込まれる場合を示したが、これに限定されるものではなく、例えば、新たに商品価格１１ｃが書き込まれ、書き込まれた新たな商品価格１１ｃをＬＣＤ１３に追加表示しても良い。
【００５６】
また、本実施例１では、ホストコンピュータ１から送信された商品情報をリーダライタが一つのＩＣタグ８に対して書き込みおよび読み込みを行う場合を示したが、リーダライタが電波を複数のＩＣタグに送信し、商品情報の書き込みおよび読み込みを行う構成としても良い。
【００５７】
また、暗号化情報１１ｆは、暗号化を行うか否かの情報だけでなく、暗号化の方法に係る情報を含ませ、ＰＯＳレジスター４は、暗号化情報１１ｆに含まれる暗号化の方法に基づいてＩＣタグ８に含まれる商品情報を暗号化しても良い。
【００５８】
また、本実施例１では、タイマー１２ｃを利用して、賞味期限１１ｅが経過したか否かを判断したが、ホストコンピュータ１から定期的に現在時刻を取得し、取得した現在時刻を基に賞味期限１１ｅが経過したか否かを判断するように構成しても良い。
【００５９】
すなわち、表示変更処理部１２ａは、取得した現在時刻と、賞味期限日１１ｅとを比較し、現在時刻が賞味期限１１ｅを超えている場合に、ＬＣＤ１３が現在表示している商品情報の表示色を変更するように指示する。
【実施例２】
【００６０】
ところで、上記実施例１において、ＩＣタグは、書き込まれた商品情報をＬＣＤに表示させることによって、店員の負担を軽減させる場合について説明したが、ＩＣタグが、書き込まれた商品情報から商品価格を算出し、算出した商品価格をＬＣＤに表示させることによってＩＣタグの利便性をさらに向上させることができる。
【００６１】
そこで、実施例２では、ＩＣタグが書き込まれた商品情報から商品情報を算出し、算出した商品価格を表示する場合について説明する。
【００６２】
図６は、本実施例２に係るＩＣタグ２０の構成を示す機能ブロック図である。同図に示すように、ＩＣタグ２０は、商品データ記憶部２１と、商品価格算出処理部２２とを有する。その他の構成および動作は、実施例１に示したＩＣタグ８と同様であるので同一の構成要素には同一の符号を付して説明を省略する。
【００６３】
商品データ記憶部２１は、スキャンコード１１ａと、商品名１１ｂと、商品価格１１ｃと、製造時刻１１ｄと、賞味期限日１１ｅと、暗号化情報１１ｆと、値引き情報１１ｇと、値引き方法１１ｈと、値引き開始時刻２１ａとを有する。ここで、値引き開始時刻２１ａは、値引きを開始する時刻を示す。なお、本実施例２では、これらの情報は、リーダライタ２によって予め書き込まれていることとする。
【００６４】
商品価格算出処理部２２は、値引き開始時刻２１ａが経過した際に、値引き情報１１ｇと、値引き方法１１ｈとに基づいて商品価格１１ｃを修正する。
【００６５】
次に、商品価格算出処理部２２が、商品価格１１ｃを修正する処理手順について説明する。図７は、商品価格算出処理部が、商品価格を修正する処理手順を説明するフローチャートである。
【００６６】
図７に示すように、商品価格算出処理部２２が、値引き開始時刻２１ａを経過したか否かを判断し(ステップＳ３０１)、値引き開始時刻２１ａを経過していない場合には(ステップＳ３０１，Ｎｏ)、一定時間経過した後に(ステップＳ３０２)、ステップＳ３０１に移行する。
【００６７】
一方、値引き開始時刻２１ａを経過している場合には(ステップＳ３０１，Ｙｅｓ)、商品価格算出処理部２２が値引き情報１０ｇおよび値引き方法１１ｈに基づいて商品価格１１ｃを修正する(ステップＳ３０３)。
【００６８】
そして、表示データ出力部１２ａは、修正された商品価格１１ｃを取得し(ステップＳ３０４)、取得した商品価格１１ｃをＬＣＤ１３に出力する(ステップＳ３０５)。
【００６９】
上述してきたように、本実施例２にかかるＩＣタグ２０では、商品価格算出処理部２２が、値引き開始時刻２１ａを監視し、値引き開始時刻２１ａを経過した際に、値引き情報１１ｇおよび引き方法１１ｈに基づいて、商品価格１１ｃを修正し、表示データ出力部１２ａが、修正した商品価格１１ｃをＬＣＤ１３に表示させる。
【００７０】
そのため、ＩＣタグ２０は、商品を購入しようとする顧客に対して商品価格を明確に示すことができる。また、商品価格算出処理部２２が商品価格１１ｃを修正するので、ＰＯＳレジスター４は、値引き情報１１ｇと、値引き方法１１ｈとに基づいて商品価格１１ｃを算出する必要がなく負荷が軽減される。
【００７１】
なお、本実施例１および２では、情報制御部１０を介して、商品データ記憶部１１の商品の情報に対する読み込みおよび書き込みを行ったが、リーダライタを利用して直接商品情報の読み込みおよび書き込みを行う構成としてもよい。
【００７２】
（付記１）商品に付され、制御機器からの無線による指示に応答して動作するＩＣタグであって、
前記商品に関する情報を格納する商品情報格納手段と、
前記商品に関する情報を変更する商品情報制御手段と、
前記商品に関する情報を表示する商品情報表示手段と、
を備え、
前記商品情報格納手段に格納された前記商品に関する情報は、前記制御機器からの指示に基づいて前記商品情報制御手段により変更され、当該変更された情報が前記商品情報表示手段によって表示されることを特徴とするＩＣタグ。
【００７３】
（付記２）商品に付され、制御機器からの無線による指示に応答して動作するＩＣタグであって、
前記制御機器から送信される前記商品の賞味期限を含んだ情報を格納する期限情報格納手段と、
タイマーを利用して前記賞味期限の経過を感知する期限感知手段と、
前記期限情報格納手段に格納された商品の情報を表示するとともに、前記期限感知手段が前記賞味期限の経過を感知した場合に、該賞味期限が経過した旨を表示する商品情報表示処理手段と、
を備えたことを特徴とするＩＣタグ。
【００７４】
（付記３）商品に付され、制御機器からの無線による指示に応答して動作するＩＣタグであって、
前記制御機器から送信される前記商品の賞味期限を含んだ情報を格納する期限情報格納手段と、
前記制御機器から定期的に現在時刻を取得するとともに、該現在時刻を基に前記賞味期限を経過したか否かを判断する期限判断手段と、
前記期限判断手段が、前記賞味期限を経過したと判断した場合に、該賞味期限が経過した旨を表示する経過情報表示手段と、
を備えたことを特徴とするＩＣタグ。
【００７５】
（付記４）前記商品情報格納手段により格納される情報は商品についての値引き情報を含み、前記商品情報表示手段は、商品についての値引き情報をさらに表示することを特徴とする付記１に記載のＩＣタグ。
【００７６】
（付記５）前記賞味期限日を経過した場合に、前記商品情報表示処理手段が表示する商品の情報の表示色を変化させる表示色変化手段をさらに備えたことを特徴とする付記２に記載のＩＣタグ。
【００７７】
（付記６）前記商品に関する情報は、該商品に関する情報に対して暗号化を行うか否かの暗号化情報をさらに含み、該暗号化情報により暗号化を行うことが指定されている場合には、商品が販売された際に、前記制御機器の指示により、前記商品情報制御手段によって、前記商品情報格納手段に格納された前記商品に関する情報が暗号化されることを特徴とする付記１に記載のＩＣタグ。
【産業上の利用可能性】
【００７８】
以上説明したように、本発明にかかるＩＣタグは、商品情報が書き込まれた場合に、書き込まれた商品情報を表示するＩＣタグに対して有効である。
【図面の簡単な説明】
【００７９】
【図１】本実施例１に係るＩＣタグシステムのシステム構成を説明するための説明図である。
【図２】本実施例１に係るＩＣタグシステムのシステム構成を説明するための説明図である。
【図３】図１および２に示したＩＣタグの構成を示す機能ブロック図である。
【図４】ＩＣタグが、リーダライタによって、値引き情報と、値引き方法とを書き込まれ、書き込まれた値引き情報と、値引き方法とをＬＣＤに表示する処理手順を説明するフローチャートである。
【図５】ＰＯＳレジスターが、ＩＣタグから商品情報を取得し、商品の価格を表示する処理手順を説明するフローチャートである。
【図６】本実施例２に係るＩＣタグの構成を示す機能ブロック図である。
【図７】商品価格算出処理部が、商品価格を修正する処理手順を説明するフローチャートである。
【符号の説明】
【００８０】
１    ホストコンピュータ
２，５  リーダライタ
３，６，９  アンテナ
４    ＰＯＳレジスター
７    商品
８，２０  ＩＣタグ
１０    情報制御部
１１，２１  商品データ記憶部
１１ａ  スキャンコード
１１ｂ  商品名
１１ｃ  商品価格
１１ｄ  製造時刻
１１ｅ  賞味期限日
１１ｆ  暗号化情報
１１ｇ  値引き情報
１１ｈ  値引き方法
１２    表示データ処理部
１２ａ  表示データ出力部
１２ｂ  表示変更処理部
１２ｃ  タイマー
１３    ＬＣＤ
２１ａ  値引き開始時刻
２２    商品価格算出処理部
【図１】
2005202722.tif 000003
【図２】
2005202722.tif 000004
【図３】
2005202722.tif 000005
【図４】
2005202722.tif 000006
【図５】
2005202722.tif 000007
【図６】
2005202722.tif 000008
【図７】
2005202722.tif 000009